(57)【特許請求の範囲】
【請求項１】
録画すべき第i（但し、iは自然数）番目のコンテンツ情報に対応する属性を示す属性情報を記憶する属性情報記憶手段と、
前記第i番目のコンテンツ情報に対して行われたユーザの録画モードの決定に係る決定操作の履歴を示す操作履歴情報を記憶する操作履歴記憶手段と、
前記第i番目のコンテンツ情報を録画する前に、前記第i−１番目以前のコンテンツ情報に係る前記属性情報及び前記操作履歴情報に基づいて、前記第i番目のコンテンツ情報の、前記ユーザにとっての好適な録画モードを特定すると共に前記ユーザに前記特定された録画モードを推薦する推薦手段と、
前記推薦された録画モードに応じて又は反して前記ユーザによる決定操作により決定された録画モードで、前記第i番目のコンテンツ情報を第１記録媒体に記録する第１記録手段と、
前記記録されたコンテンツ情報を前記決定された録画モードで前記第１記録媒体から第２記録媒体に記録する第２記録手段と、
前記第１又は第２記録媒体に記録されたコンテンツ情報を再生する再生手段と
を備えることを特徴とする記録再生装置。
【請求項２】
前記推薦手段は、前記属性別に、前記好適な録画モードを特定することを特徴とする請求の範囲第１項に記載の記録再生装置。
【請求項３】
前記推薦手段は、前記属性別に、前記決定操作の頻度が相対的に高い録画モードを、前記好適な録画モードとして特定することを特徴とする請求の範囲第１項に記載の記録再生装置。
【請求項４】
前記推薦手段は、前記第i番目から過去に遡って所定回数の決定操作の中で、前記決定操作の頻度が相対的に高い録画モードを、前記好適な録画モードとして特定することを特徴とする請求の範囲第１項に記載の記録再生装置。
【請求項５】
前記推薦手段は、前記属性情報及び前記操作履歴情報の少なくとも一方に対して、前記ユーザにとって好適であることの度合いを示す点数を付与する点数付与手段を含むことを特徴とする請求の範囲第１項に記載の記録再生装置。
【請求項６】
前記ユーザによる決定操作を介して前記録画モードを決定可能な決定操作手段を更に備え、
前記第１記録手段は、前記決定操作手段を介して決定された録画モードで、前記第i番目のコンテンツ情報を前記第１記録媒体に記録し、
前記第２記録手段は、前記決定操作手段を介して決定された録画モードで、前記第i番目のコンテンツ情報を前記第２記録媒体に記録する
ことを特徴とする請求の範囲第１項に記載の記録再生装置。
【請求項７】
前記属性情報記憶手段は、前記属性情報として、前記入力されたコンテンツ情報の入力形態を記憶することを特徴とする請求の範囲第１項に記載の記録再生装置。
【請求項８】
前記属性情報記憶手段は、前記属性情報として、前記入力されたコンテンツ情報の属するジャンルを記憶することを特徴とする請求の範囲第１項に記載の記録再生装置。
【請求項９】
前記操作履歴記憶手段は、前記操作履歴情報として、前記推薦された録画モードの変更操作を記憶することを特徴とする請求の範囲第１項に記載の記録再生装置。
【請求項１０】
第１記録媒体に記録されたコンテンツ情報が、所望の録画モードで、該第１記録媒体から第２記録媒体に記録する第２記録手段によって、該第２記録手段により記録されることが可能な記録再生装置であって、
録画すべき第i（但し、iは自然数）番目のコンテンツ情報に対応する属性を示す属性情報を記憶する属性情報記憶手段と、
前記第i番目のコンテンツ情報に対して行われたユーザの録画モードの決定に係る決定操作の履歴を示す操作履歴情報を記憶する操作履歴記憶手段と、
前記第i番目のコンテンツ情報を録画する前に、前記第i−１番目以前のコンテンツ情報に係る前記属性情報及び前記操作履歴情報に基づいて、前記第i番目のコンテンツ情報の、前記ユーザにとっての好適な録画モードを特定すると共に前記ユーザに前記特定された録画モードを推薦する推薦手段と、
前記推薦された録画モードに応じて又は反して前記ユーザによる決定操作により決定された録画モードで、前記第i番目のコンテンツ情報を第１記録媒体に記録する第１記録手段と、
前記第１記録媒体に記録されたコンテンツ情報を再生する再生手段と
を備えることを特徴とする記録再生装置。
【発明の詳細な説明】
【技術分野】
【０００１】
本発明は、例えばハードディスク（Hard Disk）、既に普及している或いは通常のＤＶＤ（以下適宜単に“ＤＶＤ”という）、次世代のＢｌｕ−ｒａｙディスク（以下適宜単に“Ｂｌｕ−ｒａｙディスク”という）等の情報記録媒体に例えば放送番組等のコンテンツ情報を記録（録画）又は再生することが可能な記録再生装置の技術分野に関する。
【背景技術】
【０００２】
近年、放送形態の多様化或いはコンテンツ情報の多様化が進んでいる。一方、コンテンツ情報を記録（録画）するための記録媒体も多様化が進んでいる。これらの結果、コンテンツ情報の入力元と出力先との組合せが多様になっている。入力元としては、例えば、地上アナログ放送、ＢＳ（Broadcasting Satellite）アナログ放送、ＢＳ／ＣＳ（Communication Satellite）デジタル放送、地上デジタル放送等の放送及びＩＥＥＥ（Institute of Electrical and Electronic Engineers）１３９４規格等のデータ通信用ポートがある。出力先としては、例えば、ＤＶＤ−Ｖｉｄｅｏ（ＤＶＤビデオ）、ＤＶＤ−ＶＲ（ＤＶＤビデオレコーディング）、Ｂｌｕ−ｒａｙディスクがある。入力元からのコンテンツ情報を出力先の記録媒体へ記録する際には、一般的に、ハードディスクに一時的に記録させる。この際、入力元と出力先との組合せは、入力元と出力先のフォーマットの相異や著作権に関する制限等の制限を考慮して、ユーザが選択する必要がある。例えば、互換性を重視しようとすれば、出力先としては、既に普及しているＤＶＤ−ＶｉｄｅｏやＤＶＤ−ＶＲを選択するのがよいが、入力元が例えばデジタル放送の場合には、フォーマット変換が必要となり画質も劣化させざるを得ない。画質を重視しようとすれば、出力先としては、ＭＰＥＧ−ＴＳ（Transport Stream）形式で記録可能なＢｌｕ−ｒａｙディスクを選択する必要がある。更には、例えば地上デジタル放送のコンテンツ情報では、コピーワンス等の著作権に関する制限から、ＤＶＤ−Ｖｉｄｅｏに記録（録画）することはできない。【０００３】
コンテンツ情報における上述したような多様な組合せの中からユーザに適したものを、ユーザ自身が選択し、操作することは困難になってきている。しかも、出力先が適切でない場合には、例えば、再フォーマットをする必要があるという不都合が生じてしまう。【０００４】
このため、ユーザの操作における負担を軽減し、或いは好適な操作ができるようにするための様々な技術が提案されている。【０００５】
例えば特許文献１では、ＭＰＥＧ−ＴＧ形式とＭＰＥＧ−ＰＳ（Program Stream）形式と間の相互変換に関する技術が提案されている。特許文献２では、ＤＶＤビデオ方式とＤＶＤ−ビデオレコーディング方式とのフォーマットの相互変換に関する技術が提案されている。特許文献３では、ユーザの様々な操作に基づき、ユーザの複雑・多様な嗜好に合わせて自動的にコンテンツ情報を録画する技術が提案されている。【０００６】
【特許文献１】特開２００３−１１１０２３号公報
【特許文献２】特開２００３−１５３１７０号公報
【特許文献３】特開２００４−７２５０２号公報
【発明の開示】
【発明が解決しようとする課題】
【０００７】
しかしながら、上述した特許文献１から３においては、例えばアナログ放送、デジタル放送等のコンテンツ情報の属性や例えばハードディスク、ＤＶＤ、Ｂｌｕ−ｒａｙディスク等の記録媒体の種類までは考慮していない。このため、ユーザはコンテンツ情報の属性に応じた好適な記録媒体を選択することができない。【０００８】
本発明は、例えば上述した問題点に鑑みなされたものであり、例えばユーザに対して、コンテンツ情報を記録（録画）する際にコンテンツ情報の属性に応じた好適な操作を推薦することが可能な記録再生装置を提供することを課題とする。
【課題を解決するための手段】
【０００９】
（記録再生装置）
本発明の第１の記録再生装置は上記課題を解決するために、録画すべき第i（但し、iは自然数）番目のコンテンツ情報に対応する属性を示す属性情報を記憶する属性情報記憶手段と、前記第i番目のコンテンツ情報に対して行われたユーザの録画モードの決定に係る決定操作の履歴を示す操作履歴情報を記憶する操作履歴記憶手段と、前記第i番目のコンテンツ情報を録画する前に、前記第i−１番目以前のコンテンツ情報に係る前記属性情報及び前記操作履歴情報に基づいて、前記第i番目のコンテンツ情報の、前記ユーザにとっての好適な録画モードを特定すると共に前記ユーザに前記特定された録画モードを推薦する推薦手段と、前記推薦された録画モードに応じて又は反して前記ユーザによる決定操作により決定された録画モードで、前記第i番目のコンテンツ情報を第１記録媒体に記録する第１記録手段と、前記記録されたコンテンツ情報を前記決定された録画モードで前記第１記録媒体から第２記録媒体に記録する第２記録手段と、前記第１又は第２記録媒体に記録されたコンテンツ情報を再生する再生手段とを備える。【００１０】
本発明の第１の記録再生装置によれば、その動作時には、先ず、例えば、地上アナログ放送、ＢＳアナログ放送、ＢＳ／ＣＳデジタル放送、地上デジタル放送等の放送を受信するためのチューナ或いはＩＥＥＥ１３９４規格等のデータ通信用ポートの入力手段によって、例えばニュース、スポーツ、連続ドラマ、ドキュメンタリー等の放送番組の第ｉ番目のコンテンツ情報が入力される。【００１１】
このように入力された第ｉ番目のコンテンツ情報は、ユーザの操作に従って、例えばハードディスク等の第１記録媒体に第１記録手段によって記録される。即ち、何らかの録画モードで、録画される。その後、例えばＤＶＤ−Ｖｉｄｅｏ、ＤＶＤ−ＶＲ、Ｂｌｕ−ｒａｙディスク等の第２記録媒体に、第２記録手段によって、記録（例えば、ダビング、コピー、ムーブ等）される。また、このような第１記録媒体又は第２記録媒体に記録されたコンテンツ情報は、ユーザの操作に従って、再生手段によって、再生される。【００１２】
本発明では特に、このような一連のユーザの操作のうち少なくとも、録画モードの決定に係る決定操作については、ユーザの操作の履歴を示す操作履歴情報として、例えばメモリ等を備える操作履歴記憶手段によって、記憶される。記憶されるユーザの操作履歴情報としては、例えば、録画モードの設定がある。録画モードの設定では、例えば、第ｉ番目のコンテンツ情報を、第１記録媒体から第２記録媒体に記録する際における、ＤＶＤ−ＶＲ、Ｂｌｕ−ｒａｙディスク等の第２記録媒体の種類が設定されたり、ＨＤ（高解像度）やＳＤ（標準解像度）等の解像度、ＦＩＮＥ（最高画質）やＳＰ（標準画質）などの画質等が設定される。或いは、録画モードの設定では、例えばユーザが後に記録するつもりの又は後に記録する可能性がある、第２記録媒体に記録する際における、第２記録媒体の種類、画質等が、第１記録媒体への記録前に、即ち事前に設定される。或いは、録画モードの設定では、第１記録媒体に記録する際における、画質等が記録動作の直前に設定されてもよい。いずれの場合にも、設定された録画モードで第２記録媒体への録画が行われることになり、好ましくは、第１記録媒体へ記録する際における録画モードと同じ録画モードで、第２記録媒体に記録されることになる。このように同じ録画モードで記録される場合には、第１記録媒体について設定される録画モードが、そのまま第２記録媒体について設定される録画モードということになる。尚、少なくとも第１記録媒体への録画モードの設定は実際の録画に先行して行うこと、即ち、録画予約或いは予約録画が可能である。【００１３】
更に、操作履歴情報として、第ｉ番目のコンテンツ情報を録画する際に、又は、第i番目のコンテンツ情報を再生する若しくは更に録画（コピー、ダビング、ムーブ等）する際に行われたユーザの操作が記憶される。【００１４】
一方、第ｉ番目のコンテンツ情報の属性に対応する属性を示す属性情報が、メモリ等を備える属性情報記憶手段によって記憶される。記憶される属性情報としては、例えば、地上アナログ放送、ＢＳアナログ放送、ＢＳ／ＣＳデジタル放送、地上デジタル放送等の放送の種類、即ち、コンテンツ情報を搬送する搬送波の種類、スポーツ番組、映画放送、ドラマ、ニュース、ドキュメンタリー、音楽番組等のコンテンツ情報のジャンルなどがある。更に、ＢＳデジタル放送の映画、地上波アナログ放送のドラマ、ＣＳデジタル放送の音楽番組など、搬送波の種類とジャンルとの組を、一つの属性として扱ってもよい。尚、「属性情報」は、コンテンツ情報に付加されていてもよいし、付加されてなくてもよい。例えば、コンテンツ情報とは別に通信手段や入力手段を介して入力されてもよいし、コンテンツ情報を搬送する搬送波の種類やフォーマット等から検出してもよい。【００１５】
ここで特に、第ｉ番目のコンテンツ情報を録画する前に、第ｉ−１番目以前（即ち、第ｉ−１番目を含む第ｉ番目よりも前の）のコンテンツ情報に係る属性情報及び操作履歴情報に基づいて、第ｉ番目のコンテンツ情報の、ユーザにとっての好適な録画モードが、推薦手段によって特定される。そして、このように特定された録画モードは、例えば録画予約の際に、推薦手段によってユーザに推薦される。ここに「推薦する」とは、例えば、表示画面やスピーカによって視覚的又は聴覚的にユーザに対して、特定された録画モードの使用を促す旨の情報を提供することを意味する。また「好適な」とは、ユーザの嗜好に合っていることや、コンテンツ情報に対応する属性と第２記録媒体との関係で適していることを意味する。ユーザの嗜好については、例えば、例えばＣＳデジタル放送の映画放送（又は、地上波アナログのスポーツ）など、同一属性のコンテンツ情報について、操作履歴情報に記録されたユーザの操作履歴のうち、回数の多い操作、例えば、いつも特定種類の第２記録媒体或いはいつも特定の録画モードを選択する操作はユーザが嗜好する操作であり、ユーザにとって好適であると判断してもよい。【００１６】
尚、コンテンツ情報に対応する属性と第２記録媒体との関係については、ユーザは、ダウンコンバートする必要がない第２記録媒体が好適であると判断してもよいし、ユーザは、ダウンコンバートが必要であっても互換性の高い第２記録媒体が好適であると判断してもよい。【００１７】
このように推薦された録画モードに応じて又は反して、ユーザは録画モードを決定し、決定操作を行うことになる。この決定操作については、上述したように操作履歴情報として、操作履歴記憶手段によって記憶され、次回の即ち第i＋１番目のコンテンツ情報の録画モードを推薦する際に用いされることになる。【００１８】
以上の結果、ユーザの操作の回数が多ければ多いほど、即ち、ユーザが本発明に係る記録再生装置を使用すればするほど、該ユーザを基準にして、より好適な、コンテンツ情報の録画モードを推薦することができる。ユーザは、録画の都度にコンテンツ情報の録画モードを一から設定する必要がなくなる。即ち、推薦手段による推薦に従って、録画モードの設定操作を殆ど行わなくてよいか、又は設定操作に係る負荷が軽減される。このようにユーザビリティが高まり、例えばユーザの操作によって毎回録画モードを変更しなければならないというユーザの操作に対する負荷を軽減することできる。この際特に、第１記録媒体への記録の際に、後に行われると予想される第２記録媒体への記録（コピー、ダビング、ムーブ等）と結果的に同じとなる録画モードで記録することになる。このため、記録（コピー、ダビング、ムーブ等）する際のフォーマット変換が不要となる。よって、第１から第２記録媒体へ記録する際における高速処理が可能となり、記録に要する時間が短縮される。例えば、第１記録媒体から第２記録媒体へ記録する際に、フォーマット変換が必要であると、１倍速〜数倍速が高速処理の限界となるが、フォーマット変換が不要であれば、数十倍速といった高速処理が可能となる。【００１９】
本発明の第１の記録再生装置の一の態様では、前記推薦手段は、前記属性別に、前記好適な録画モードを特定する。【００２０】
この態様によれば、好適な録画モードは、推薦手段によって属性別に特定される。このため、属性に応じた好適な録画モードでコンテンツ情報を録画することができる。例えば、コンテンツ情報が地上デジタル放送のＨＤ（High Definition）放送によるものである場合、第２記録媒体としては、記録の際にフォーマット変換をする必要がないＢｌｕ−ｒａｙディスクが好適であるとして、好適な録画モードを特定する。このとき、特定された録画モードで第１から第２記録媒体へ記録する際における高速処理が可能となり、記録に要する時間が短縮される。また、ＨＤ放送による高解像度の映像を記録することができる。【００２１】
以上のように、好適な録画モードが推薦手段によって属性別に特定されることによって、ユーザは、コンテンツ情報の属性に応じた好適な録画モードでコンテンツ情報を録画することができる。言い換えれば、ユーザの録画モードの好みは、コンテンツ情報の属性に大なり小なり依存しているので、本態様は実用上大変有利である。【００２２】
本発明の第１の記録再生装置の他の態様では、前記推薦手段は、前記属性別に、前記決定操作の頻度が相対的に高い録画モードを、前記好適な録画モードとして特定する。【００２３】
この態様によれば、属性別にユーザの録画モードの好みが強い程、属性別にその録画モードに決定される頻度は高いものとの前提に立って、属性別に、ユーザによる例えば録画予約における決定操作の頻度が相対的に高い録画モードが、推薦手段によって、好適な録画モードとして特定される。例えば、録画予約において、地上デジタル放送によるコンテンツ情報に対して、第２記録媒体としてはＤＶＤ−ＶＲを設定し、更に画質としてはＦＩＮＥを設定した、ユーザによる決定操作の頻度が相対的に高い場合には、この録画モードが、ユーザにとって好適な録画モードとして、推薦手段によって特定される。そして、録画予約において、地上デジタル放送によるコンテンツ情報に対する好適な録画モードとして、第２記録媒体としてはＤＶＤ−ＶＲが、画質としてはＦＩＮＥが夫々、推薦手段によって推薦される。このため、ユーザは、地上デジタル放送を録画する際に第２記録媒体としてはＤＶＤ−ＶＲを、画質としてはＦＩＮＥを夫々設定する操作をしなくて済む。よって、録画予約におけるユーザの嗜好に合った録画モードを推薦することができ、更にユーザの操作負担を軽減することができる。【００２４】
本発明の第１の記録再生装置の他の態様では、前記推薦手段は、前記第i番目から過去に遡って所定回数の決定操作の中で、前記決定操作の頻度が相対的に高い録画モードを、前記好適な録画モードとして特定する。【００２５】
この態様によれば、第i番目から過去に遡って所定回数の決定操作の中で、決定操作の頻度が相対的に高い録画モードが、推薦手段によって、好適な録画モードとして特定される。よって、ユーザの最近の嗜好に合った録画モードを、好適な録画モードとして特定することができる。例えば、第ｉ番目から過去に遡って１０回の決定操作の中で、頻度が相対的に高い録画モードを、好適な録画モードとするので、１０回よりも前にユーザが好んで行っていた決定操作に関係なく、最近１０回の決定操作の中でのユーザの嗜好に合った録画モードを特定することができる。即ち、時の経過と共に変動し得るユーザの嗜好に合った録画モードを、好適な録画モードとして特定することができる。よって、ユーザにとって好適な録画モードをユーザに殆ど確実に推薦することができる。尚、所定回数は、操作履歴記憶手段が備えるメモリ等が許容する限りにおいて何回でもよいが、ユーザの最近の嗜好を反映させるためには最近１０回程度とするのが好ましい。【００２６】
更に、決定操作の頻度が相対的に高い録画モードを特定する際に、例えば一定期間以上未操作である等のユーザの嗜好と逆の嗜好を表している決定操作を考慮するようにしてもよい。即ち、例えば、あるコンテンツ情報に対して一定期間以上未操作であった或いは削除操作がされた場合には、その録画モードでの録画は、ユーザの嗜好に合わなくなった或いは必要としていない判断し、決定操作の頻度を減らすようにしてもよい。【００２７】
加えて、所定回数に代えて、例えば、１ヶ月、３ヶ月、６ヶ月、…など、所定期間における決定操作の中で、前記決定操作の頻度が相対的に高い録画モードを、前記好適な録画モードとして特定してもよい。【００２８】
本発明の第１の記録再生装置の他の態様では、前記推薦手段は、前記属性情報及び前記操作履歴情報の少なくとも一方に対して、前記ユーザにとって好適であることの度合いを示す点数を付与する点数付与手段を含む。【００２９】
この態様によれば、ユーザの録画モードの決定に係る決定操作なされると、その対象となったコンテンツ情報の属性情報及び操作履歴情報の少なくとも一方に対して、点数付与手段によって、ユーザにとって好適であることの度合いを示す点数が付与される。例えば、ユーザの録画モードの好みが強い程、その録画モードに決定される頻度は高いものとの前提に立って、その録画モードに決定された回数に応じて、その属性情報に対して点数が付与される。或いは、ユーザの録画モードの好みが弱い程、その録画モードで録画されたコンテンツ情報は、その後更に録画（即ち、コピー、ダビング、ムーブ等）される頻度が低い或いは削除される頻度が高いものとの前提に立って、一定期間以上、その後更に録画なされなかった或いは削除されたコンテンツ情報の数に応じて、その属性情報に対して付与してもよい。或いは、ユーザの録画モードの好みが強い程、その録画モードで録画されたコンテンツ情報は、その後更に録画される頻度が高いものとの前提に立って、その後更に録画されたコンテンツ情報の回数に応じて、その属性情報に対して点数を付与してもよい。【００３０】
このように付与された点数には、ユーザの嗜好が反映されている。よって、これらの点数に基づいてユーザの嗜好に合わせた録画モードを、推薦手段によって、推薦することができる。【００３１】
本発明の第１の記録再生装置の他の態様では、前記ユーザによる決定操作を介して前記録画モードを決定可能な決定操作手段を更に備え、前記第１記録手段は、前記決定操作手段を介して決定された録画モードで、前記第i番目のコンテンツ情報を前記第１記録媒体に記録し、前記第２記録手段は、前記決定操作手段を介して決定された録画モードで、前記第i番目のコンテンツ情報を前記第２記録媒体に記録する。【００３２】
この態様によれば、ユーザによる例えば録画予約設定画面における決定操作がなされると、これに応じた録画モードが、例えばリモコン、操作パネル、音声入力手段等の決定操作手段を介して決定される。第ｉ番目のコンテンツ情報は、この決定された録画モードで、第１記録手段によって第１記録媒体に記録される。その後、第ｉ番目のコンテンツ情報は、第１記録媒体から第２記録媒体に、同じ録画モードで第２記録手段によって記録（例えば、ダビング、コピー、ムーブ等）される。よって推薦手段による推薦を反映したユーザによる録画モードの決定走査を、容易な操作により実現できる。【００３３】
本発明の第１の記録再生装置の他の態様では、前記属性情報記憶手段は、前記属性情報として、前記入力されたコンテンツ情報の入力形態を記憶する。【００３４】
この態様によれば、属性情報として、例えば、地上アナログ放送、ＢＳアナログ放送、ＢＳ／ＣＳデジタル放送、地上デジタル放送等の放送の種類やＩＥＥＥ１３９４規格等のデータ通信用ポートの種類等の入力形態が、属性情報記憶手段によって、記憶される。【００３５】
このため、ハードディスク等の第１記録媒体に記録する前、即ち一時的に蓄積する前に、コンテンツ情報の入力形態に依存する例えばデータフォーマットや著作権に関する制限に応じた録画モードを特定することができる。【００３６】
本発明の第１の記録再生装置の他の態様では、前記属性情報記憶手段は、前記属性情報として、前記入力されたコンテンツ情報の属するジャンルを記憶する。【００３７】
この態様によれば、属性情報記憶手段は、属性情報として、スポーツ番組、映画放送、ドラマ、ニュース、ドキュメンタリー、音楽番組等のコンテンツ情報のジャンルを記憶する。このため、ジャンル別にユーザの嗜好する録画モードを推薦することができる。【００３８】
本発明の第１の記録再生装置の他の態様では、前記操作履歴記憶手段は、前記操作履歴情報として、前記推薦された録画モードの変更操作を記憶する。【００３９】
この態様によれば、推薦された録画モードがユーザによって変更される、即ち変更操作がなされると、その変更操作は、操作履歴情報として、操作履歴記憶手段によって記憶される。そして、例えば、変更操作後に設定される頻度が高い録画モード程、ユーザの嗜好に合った録画モードであるという前提に立って、変更操作後に設定される頻度が高い録画モードを、好適な録画モードとして特定される。このため、ユーザの嗜好に応じた録画モードを推薦することができ、ユーザの変更操作によって何度も録画モードを変更しなければならないというユーザの操作負担を軽減することができる。【００４０】
本発明の第２の記録再生装置は上記課題を解決するために、第１記録媒体に記録されたコンテンツ情報が、所望の録画モードで、該第１記録媒体から第２記録媒体に記録する第２記録手段によって、該第２記録手段により記録されることが可能な記録再生装置であって、録画すべき第i（但し、iは自然数）番目のコンテンツ情報に対応する属性を示す属性情報を記憶する属性情報記憶手段と、前記第i番目のコンテンツ情報に対して行われたユーザの録画モードの決定に係る決定操作の履歴を示す操作履歴情報を記憶する操作履歴記憶手段と、前記第i番目のコンテンツ情報を録画する前に、前記第i−１番目以前のコンテンツ情報に係る前記属性情報及び前記操作履歴情報に基づいて、前記第i番目のコンテンツ情報の、前記ユーザにとっての好適な録画モードを特定すると共に前記ユーザに前記特定された録画モードを推薦する推薦手段と、前記推薦された録画モードに応じて又は反して前記ユーザによる決定操作により決定された録画モードで、前記第i番目のコンテンツ情報を第１記録媒体に記録する第１記録手段と、前記第１記録媒体に記録されたコンテンツ情報を再生する再生手段とを備える。【００４１】
本発明の第２の記録再生装置によれば、ＤＶＤレコーダ等の第２記録手段が、外付け或いは無線接続等されている。即ち、第２の記録再生装置は、外付け等された第２記録手段に対して、第１記録手段に一旦記録されたコンテンツ情報を提供可能な装置である。よって、上述した本発明に係る第１の記録再生装置と同様に、ユーザの操作の回数が多ければ多いほど、より好適な、録画予約ごとのコンテンツ情報の録画モードを推薦することができる。特に、外付け等される第２記録手段が変更されない限り、このような録画モードの推薦は、有効であり続け、第１の記録再生装置と同様の作用効果が得られる。仮に、外付け等される第２記録手段が変更されても（例えば、接続されている第２記録手段が、ＤＶＤレコーダから、Ｂｌｕ−ｒａｙディスクレコーダに変更されても）、使用を繰り返して行くうちに、履歴情報が変化し、推薦される録画モードは、変更後の第２記録手段について適切なものに変更されていく。但し、外付け等される第２記録手段が変更された際に、履歴情報をリセットするように構成してもよい。【００４２】
本発明の作用及び他の利得は次に説明する実施例から明らかにされる。【００４３】
以上説明したように第１及び第２の記録再生装置は、属性情報及び操作履歴情報に基づいてユーザにとっての好適な録画モードを特定すると共にユーザに特定された録画モードを推薦する推薦手段を備えるので、第１から第２記録媒体へ記録する際における高速処理が可能となり、記録に要する時間が短縮される。
【図面の簡単な説明】
【００４４】
【図１】第１実施例に係る記録再生装置の基本構成を示すブロック図である。
【図２】初期状態における属性情報と操作履歴情報との関係を示す表である。
【図３】複数回のユーザの操作が行われた後における図２と同趣旨の表である。
【図４】図３の状態から更に複数回の操作が行われた後における図３と同趣旨の図である。
【図５】地上デジタル放送について、図３に対応する操作履歴情報を示す表である。
【図６】地上デジタル放送について、図４に対応する操作履歴情報を示す表である。
【図７】録画モードの設定変更に係る操作履歴情報の変更を示すフローチャートである。
【図８】コンテンツ情報の削除、ダビング・ムーブ等及び一定期間以上の未操作に係る操作履歴情報の変更を示すフローチャートである。
【図９】推薦録画モードの特定の流れを示すフローチャートである。
【図１０】画質の設定の種類を示す図である。
【図１１】図２の状態における、地上デジタル放送を録画する際の録画予約画面を示す模式図である。
【図１２】図３の状態における図１１と同趣旨の模式図である。
【図１３】第２実施例における図３と同趣旨の表である。
【符号の説明】
【００４５】
１１０  第１記録部
１１１  第１記録媒体
１２０  第２記録部
１２１  第２記録媒体
１４１  属性情報記憶部
１４２  操作履歴記憶部
１５０  推薦部
１５２  点数付与部
１６０  再生部
【発明を実施するための最良の形態】
【００４６】
以下、本発明を実施するための最良の形態について実施例毎に順に図面に基づいて説明する。【００４７】
（第１実施例）
先ず、図１から図１２を参照して本発明の第１実施例に係る記録再生装置について説明する。【００４８】
（１−１）基本構成
先ず、図１を参照して、本発明の第１実施例に係る記録再生装置の基本構成について説明する。ここに、図１は、本発明の第１実施例に係る記録再生装置の基本構成を示すブロック図である。【００４９】
図１に示すように、本実施例に係る記録再生装置１００は、放送受信部１３１、データ受信部１３２、属性情報記憶部１４１、操作履歴記憶部１４２、推薦部１５０、再生部１６０、決定操作部１９０、決定操作部用のインターフェース（Ｉ／Ｆ）１９２、第１記録部１１０、第１記録媒体１１１、第２記録部１２０及び制御部１８０を備えて構成されている。【００５０】
これらの構成要素のうち、放送受信部１３１、データ受信部１３２、属性情報記憶部１４１、操作履歴記憶部１４２、推薦部１５０、再生部１６０、決定操作部用のインターフェース（Ｉ／Ｆ）１９２、第１記録部１１０、第２記録部１２０及び制御部１８０は、システムバス９０を介して接続されている。【００５１】
放送受信部１３１は、コンテンツ情報を、例えば地上アナログ放送、ＢＳアナログ放送、ＢＳ／ＣＳデジタル放送、地上デジタル放送等の放送から受信する。【００５２】
データ受信部１３２は、コンテンツ情報を、例えばＩＥＥＥ１３９４規格等のデータ通信規格に準拠したデータ入力装置３００から受信する。【００５３】
属性情報記憶部１４１は、メモリ等から構成されており、後述するように、録画すべきコンテンツ情報に対応する属性を示す属性情報を記憶する。【００５４】
操作履歴記憶部１４２は、メモリ等から構成されており、後述するように、コンテンツ情報に対して行われたユーザの録画モードの決定に係る決定操作の履歴を示す操作履歴情報を記憶する。【００５５】
決定操作部１９０は、例えばリモコン、操作パネル、音声入力手段等であり、ユーザにより決定操作部１９０においてなされた操作は、決定操作部用インターフェース１９２を介して、記録再生装置１００内に入力される。【００５６】
第１記録部１１０は、ハードディスクドライブであり、ハードディスクである第１記録媒体１１１にコンテンツ情報を記録可能である。【００５７】
第２記録部１２０は、リムーバブルディスクドライブであり、例えばＤＶＤ−Ｖｉｄｅｏ、ＤＶＤ−ＶＲ、Ｂｌｕ−ｒａｙディスク等の複数の種類の第２記録媒体１２１にコンテンツ情報を記録可能である。【００５８】
再生部１６０は、第１記録媒体１１１又は第２記録媒体１２１に記録されたコンテンツ情報を再生する。再生されたコンテンツ情報は、外部の表示装置２００上に表示される。【００５９】
推薦部１５０は、属性情報及び操作履歴情報の少なくとも一方に対して、ユーザにとって好適であることの度合いを示す点数を付与する点数付与部１５２を含んでおり、後述するように、好適な録画モードを特定する。特定された録画モードは、例えば外部の表示装置２００上に表示される。【００６０】
制御部１８０は、これら記録再生装置１００を構成する構成要素を統括制御する。【００６１】
（１−２）動作原理
（１−２−１）基本動作
次に、図１を参照して、本発明の第１実施例に係る記録再生装置の基本動作について説明する。【００６２】
図１において、記録再生装置１００の動作時には、先ず、放送受信部１３１又はデータ受信部１３２を介して例えば、ニュース、スポーツ、連続ドラマ、ドキュメンタリー等の放送番組の第ｉ番目（但し、ｉは自然数）のコンテンツ情報が入力される。【００６３】
このように入力された第ｉ番目のコンテンツ情報は、ユーザの操作に従って、第１記録媒体１１１に第１記録部１１０によって記録される。即ち、何らかの録画モードで、録画される。その後、第２記録媒体１２１に、第２記録部１２０によって、記録（例えば、コピー、ダビング、ムーブ等）される。また、このような第１記録媒体１１１又は第２記録媒体１２１に記録されたコンテンツ情報は、ユーザの操作に従って、再生部１６０によって、表示装置２００上に再生される。【００６４】
ここで、本実施例における解像度及び画質について説明する。映像の解像度についてはＨＤとＳＤがある。ＨＤは、１９２０×１０８０画素に代表される高解像度のことである。ＳＤは、標準的な解像度（７２０×４８０）のことである。また、映像の画質については、ビットレートと密接な関係があることが知られているが、製品による画質パラメータ設定項目が存在する。【００６５】
ここで、本実施例における録画モードのパラメータを説明する。録画モードに関しては、デジタル放送の送出側パラメータのまま記録するＤＲと、デジタル放送を自機内でデコードし再度エンコードするかまたはトランスコードを施す、またはアナログ放送をエンコードするＳＤという録画モードが存在する。更に、録画モードがＳＤの場合には、その画質指定が行え、画質を示すパラメータとして、ＦＩＮＥ、ＳＰ、ＬＰ及びＥＰがある。これらは、映像ビットレートの大小によって段階づけられている。ＦＩＮＥは、約９Ｍｂｐｓの映像ビットレートで録画することを意味する。ＳＰは、約４．５Ｍｂｐｓの映像ビットレートで録画することを意味する。ＬＰは、約２Ｍｂｐｓの映像ビットレートで録画することを意味する。ＥＰは、約１Ｍｂｐｓの映像ビットレートで録画することを意味する。【００６６】
尚、録画モードとしての「ＤＲ」は、上述したように、デジタル放送を記録する際の、送出側のエンコード結果での解像度及びビットレート（即ち、画質）で記録するモードのことである。即ち、「ＤＲ」という録画モードは、解像度及びビットレート（即ち、画質）を夫々個別に設定するものではない。本実施例では、説明の便宜上、録画モードとして「ＤＲ」が選択されている場合には、解像度及び画質が夫々「ＤＲ」に設定されているとして説明する。例えば、図２において、録画モードとして「ＤＲ」が選択されていることを示すために、解像度に係る項目４３を「ＤＲ」とし、且つ、画質に係る項目４４を「ＤＲ」としている。即ち、解像度に係る項目及び画質に係る項目のいずれか一方だけが「ＤＲ」になることはない。因みに、画質に関するパラメータは、「ＳＤ」の録画モードの際にのみ有効である。例えば、図２において、解像度の欄で「ＤＲ」が指定されていると、画質に関しては設定がない。【００６７】
（１−２−２）操作履歴情報及び属性情報の記憶
図１において、本実施例では特に、このような一連のユーザの操作のうち少なくとも、録画モードの決定に係る決定操作については、ユーザの操作の履歴を示す操作履歴情報として、操作履歴記憶部１４２によって、記憶される。記憶されるユーザの操作履歴情報としては、例えば、録画モードの設定がある。【００６８】
録画モードの設定では、第ｉ番目のコンテンツ情報を、第１記録媒体１１１から第２記録媒体１２１に記録する際における、ＤＶＤ−ＶＲ、Ｂｌｕ−ｒａｙディスク等の第２記録媒体１２１の種類が設定されたり、ＦＩＮＥ（最高画質）やＳＰ（標準画質）等の画質等が設定される。或いは、録画モードの設定では、例えばユーザが後に記録するつもりの又は後に記録する可能性がある、第２記録媒体１２１に記録する際における、第２記録媒体１２１の種類、画質等が、第１記録媒体１１１への記録前に、即ち事前に設定される。或いは、録画モードの設定では、第１記録媒体１１１に記録する際における、画質等が記録動作の直前に設定されてもよい。典型的な場合、記録再生装置の仕様或いは機能に応じて、少なくとも第２記録媒体１２１の種類、解像度及び画質が、録画モードを決定する際の必須パラメータとして設定される。そして、これらのパラメータの組合せとして設定された録画モードで、第２記録媒体１２１への録画が行われることになる。尚、これらの必須パラメータの他に、録画時における、例えばモノラル、ステレオ、バイリンガル等の音声モードを指定するパラメータなど、他のパラメータが、任意に設定されてもよい。また、仮にユーザによるこれらの必須パラメータについての指定がなくても、必須パラメータ夫々について予め定められたデフォールト値に設定されるように構成してもよい。この場合、ユーザによる必須パラメータの指定は、使用当初等から省略可能となる。そして、好ましくは、第１記録媒体１１１へ記録する際における録画モードと同じ録画モードで、第２記録媒体に記録される。このように同じ録画モードで記録される場合には、第１記録媒体１１１について設定される録画モードが、そのまま第２記録媒体１２１について設定される録画モードになる。尚、少なくとも第１記録媒体１１１への録画モードの設定は実際の録画に先行して行うこと、即ち、録画予約或いは予約録画が可能である。【００６９】
更に、操作履歴情報として、第ｉ番目のコンテンツ情報を録画する際に、又は、第i番目のコンテンツ情報を再生する若しくは更に録画（即ち、コピー、ダビング、ムーブ等）する際に行われたユーザの操作が記憶される。【００７０】
一方、第ｉ番目のコンテンツ情報の属性に対応する属性を示す属性情報が、属性情報記憶部１４１によって記憶される。本実施例では、属性情報として、地上アナログ放送、ＢＳアナログ放送、ＢＳ／ＣＳデジタル放送、地上デジタル放送等の放送の種類、即ち、コンテンツ情報を搬送する搬送波の種類が記憶される。尚、属性情報として、スポーツ番組、映画放送、ドラマ、ニュース、ドキュメンタリー、音楽番組等のコンテンツ情報のジャンルなどを記憶してもよい。更に、ＢＳデジタル放送の映画、地上波アナログ放送のドラマ、ＣＳデジタル放送の音楽番組など、搬送波の種類とジャンルとの組を、一つの属性として扱ってもよい。尚、「属性情報」は、コンテンツ情報に付加されていてもよいし、付加されてなくてもよい。例えば、コンテンツ情報とは別に通信手段や入力手段を介して入力されてもよいし、コンテンツ情報を搬送する搬送波の種類やフォーマット等から検出してもよい。【００７１】
（１−２−３）点数付与部の動作原理
次に、図２を参照して、本実施例における推薦部、特に点数付与部の動作原理について説明する。図２は、初期状態における属性別の推薦録画モードを設定するための属性情報と操作履歴情報との関係を示す表である。【００７２】
本実施例では特に、第ｉ番目のコンテンツ情報を録画する前に、第ｉ−１番目以前（即ち、第ｉ−１番目を含む第ｉ番目よりも前の）のコンテンツ情報に係る属性情報及び操作履歴情報に基づいて、第ｉ番目のコンテンツ情報の、ユーザにとっての好適な録画モードが、推薦部１５０によって特定される。この好適な録画モード（即ち推薦録画モード）を特定するために、推薦部１５０に含まれる点数付与部１５２は、属性情報及び操作履歴情報に対して、ユーザにとって好適であることの度合い示す点数を付与する。このような点数の付与は、図２に示すような表を管理することによって行われる。尚、推薦部１５０は、属性情報記憶部１４１及び操作履歴記憶部１４２を参照することにより属性情報及び操作履歴情報を得ることができる。【００７３】
図２に示すように、地上アナログ放送、ＢＳアナログ放送、ＢＳ／ＣＳデジタル放送及び地上デジタル放送の４種類の放送の種類別、即ち属性情報別にユーザの操作履歴情報と推薦録画モードが記憶される。【００７４】
操作履歴情報としては、「録画」、正の要素として「録画モードの設定変更」及び「ダビング、ムーブ等」、負の要素として「一定期間以上の未操作」及び「削除」の項目について点数が記憶される。ここで、「正の要素」とは、設定された録画モードをユーザが嗜好していることを示す操作であることを意味する。例えば、ユーザが録画やダビング、ムーブ等する際に設定する録画モードは、ユーザが嗜好している録画モードであるという前提のもと、「録画モードの設定変更」や「ダビング、ムーブ等」については「正の要素」として記憶する。「負の要素」とは、設定された録画モードをユーザが嗜好しないことを示す操作であることを意味する。例えば、ユーザが過去に録画したコンテンツを一定期間以上未操作のままにしている或いは削除したのは、その録画モードをユーザが好まないからであるという前提のもと、「一定期間以上の未操作」や「削除」については「負の要素」として記憶する。【００７５】
これらの操作履歴情報、即ち、ユーザの操作に対して、放送の種類別にユーザにとって好適であることの度合いを示す点数が付与される。尚、図２は、初期状態における属性情報と操作履歴情報との関係を示しているので、いずれの操作履歴情報についても未操作であることを示す０点となっている。【００７６】
図２中「推薦録画モード」の項目は、放送の種類別の推薦録画モードを示している。ユーザは、この推薦録画モードに従って又は反して録画モードの決定に係る決定操作を行う。【００７７】
推薦録画モードの設定項目としては、第２記録媒体の種類に係る項目１１、２１、３１及び４１、転送システムの種類に係る項目１２、２２、３２及び４２、解像度に係る項目１３、２３、３３及び４３、画質に係る項目１４、２４、３４及び４４がある。【００７８】
本実施例では特に、初期状態での推薦録画モードは、放送の種類別に特定或いは設定されている。このため、ユーザは、放送の種類に応じた好適な録画モードでコンテンツ情報を録画することができる。例えば、図２に示すように、コンテンツ情報が地上デジタル放送のＨＤ放送によるものである場合、第２記録媒体１２１としては、記録の際にフォーマット変換をする必要がないＢｌｕ−ｒａｙディスクが好適であるとして、好適な録画モードを設定する（図２中、第２記録媒体の種類に係る項目４１参照）。このとき、特定された録画モードで第１記録媒体１１１から第２記録媒体１２１へ記録する際における高速処理が可能となり、記録に要する時間が短縮される。また、ＨＤ放送による高解像度の映像を記録することができる。【００７９】
次に、図３を参照して、点数付与部の動作原理について、詳細に説明する。図３は、複数回のユーザの操作が行われた後における図２と同趣旨の表である。【００８０】
図３に示すように、ユーザの放送の種類の好みが強い程、その放送の種類に決定される頻度は高いものとの前提に立って、その放送の種類のコンテンツ情報が録画された回数に応じて、その放送の種類に対して点数が付与される。例えば、図３中、「地上アナログ」に対応する「録画」に対し点数「１０点」が付与されているのは、地上アナログ放送のコンテンツ情報が１０回、第１記録媒体１１１に録画されたことを示している。【００８１】
また、ユーザの録画モードの好みが強い程、その録画モードで録画されたコンテンツ情報は、その後更に録画（即ち、コピー、ダビング、ムーブ等）される頻度は高いものとの前提に立って、その後更に録画された回数に応じて、その録画モードの設定に対して点数が付与される。この際特に、録画の出力先となる第２記録媒体１２１の種類別に点数が付与される。例えば、図３中、「ＢＳアナログ」に対応する「ダビング・ムーブ等」に対し点数「５点（１３９４経由出力）」が付与されているのは、既に録画されたＢＳアナログ放送のコンテンツ情報が５回、ＩＥＥＥ１３９４規格のデータ通信ポートを介して出力されたことを示している。同様に、図３中「地上デジタル」に対応する「ダビング・ムーブ等」に対し点数「６点（ＤＶＤ−ＶＲへのムーブ）」が付与されているのは、既に録画された地上デジタル放送のコンテンツ情報が６回、ＤＶＤ−ＶＲへムーブされたことを示している。一方、図３中「地上アナログ」に対応する「録画モードの設定変更」及び「ダビング・ムーブ等」のいずれに対しても点数は付与されておらず、０点となっている。これは、地上アナログ放送については、推薦録画モードで第１記録媒体１１１に録画され、その後、録画（即ち、コピー、ダビング、ムーブ等）操作がなされていないことを示している。同様に、図３中「ＢＳ／ＣＳデジタル」に対応する「録画モードの設定変更」及び「ダビング・ムーブ等」のいずれに対しても点数は付与されておらず、０点となっている。これは、ＢＳ／ＣＳデジタル放送については、推薦録画モードで第１記録媒体１１１に録画され、その後、録画がなされていないことを示している。【００８２】
本実施例では特に、５点以上点数が付与された録画モードは、ユーザの好みが強いという前提のもとで、推薦録画モードとして特定或いは設定される。即ち、図２及び図３に示すように、「ＢＳアナログ」に対応する「推薦録画モード」では、第２記録媒体の種類に係る項目２１は、「ＤＶＤ−Ｖｉｄｅｏ」（図２参照）から「１３９４ＭＰＥＧ−ＴＳ」（図３参照）に、転送システムの種類に係る項目２２は「ＰＳ」（図２参照）から「ＴＳ」（図３参照）に夫々変更されている。同様に、「地上デジタル」に対応する「推薦録画モード」では、第２記録媒体の種類に係る項目４１は「Ｂｌｕ−ｒａｙディスク」（図２参照）から「ＤＶＤーＶＲ」（図３参照）に、転送システムの種類に係る項目４２は「ＴＳ」（図２参照）から「ＰＳ」（図３参照）に、解像度に係る項目４３は、「ＤＲ」（図２参照）から「ＳＤ」（図３参照）に、画質に係る項目４４は「ＤＲ」（図２参照）から「ＳＰ」（図３参照）に夫々変更されている。このため、ユーザは、次にＢＳアナログ放送を録画する際に第２記録媒体として「１３９４ＭＰＥＧ−ＴＳ」を、転送システムとして「ＴＳ」を夫々設定する操作をしなくて済む。同様に、次に地上デジタル放送を録画する際に第２記録媒体として「ＤＶＤ−ＶＲ」を、転送システムとして「ＴＳ」を夫々設定する操作をしなくて済む。即ち、録画予約におけるユーザの嗜好に合った録画モードを推薦することができ、更にユーザの操作負担を軽減することができる。この際特に、第１記録媒体１１１への記録の際に、後に行われると予想される第２記録媒体１２１への記録（即ち、コピー、ダビング、ムーブ等）と結果的に同じとなる録画モードで記録することになる。このため、記録する際のフォーマット変換が不要となる。よって、第１記録媒体１１１から第２記録媒体１２１へ記録する際における高速処理が可能となり、記録に要する時間が短縮される。例えば、第１記録媒体１１１から第２記録媒体１２１へ記録する際に、数十倍速といった高速処理が可能となる。【００８３】
次に、図４を参照して、点数付与の原理について更に説明する。図４は、図３の状態から更に複数回の操作が行われた後における図３と同趣旨の図である。【００８４】
図４に示すように、本実施例では特に、ユーザの録画モードの設定項目の一つである画質の好みが強い程、その画質に決定される頻度は高いものとの前提に立って、その画質でコンテンツ情報が録画された回数に応じて、その画質に対して点数が付与される。図４中、「地上デジタル」に対応する「録画モードの設定変更」に対し点数「７点（ＦＩＮＥモードに設定）」が付与されているのは、地上デジタル放送のコンテンツ情報を録画する際に、推薦録画モードとして推薦された画質「ＳＰ」に反して、７回、ユーザが画質を「ＦＩＮＥ」に設定変更したことを示している。【００８５】
本実施例では特に、５点以上点数が付与された録画モードの設定項目である「画質」は、ユーザの好みが強いという前提のもとで、推薦録画モードとして設定される。即ち、図３及び図４に示すように、「地上デジタル」に対応する「推薦録画モード」では、画質に係る項目４４は、「ＳＰ」（図３参照）から「ＦＩＮＥ」（図４参照）に変更されている。このため、ユーザは、次に地上デジタル放送を録画する際に「画質」として「ＦＩＮＥ」を設定する操作をしなくて済む。即ち、録画予約におけるユーザの嗜好に合った録画モードを推薦することができ、更にユーザの操作負担を軽減することができる。【００８６】
更に、図４に示すように、本実施例では特に、ユーザの録画モードの好みが弱い程、その録画モードで録画されたコンテンツ情報は、その後更に録画（即ち、コピー、ダビング、ムーブ等）される頻度が低い或いは削除される頻度が高いものとの前提に立って、一定期間以上、その後更に録画されなかった或いは削除されたコンテンツ情報の数に応じて、その放送の種類に対して点数が付与される。即ち、図４中、「地上デジタル」に対応する「一定期間以上の未操作」に対し点数「３点」が付与されているのは、以前の推薦録画モード（図３参照）で録画された地上デジタル放送のコンテンツ情報については所定期間の３倍以上の未操作期間があったことを示している。また、図４中、「地上デジタル」に対応する「削除」に対し点数「４点」が付与されているのは、以前の推薦録画モード（図３参照）で録画された地上デジタル放送のコンテンツ情報のうち４つが削除されたことを示している。本実施例では特に、ユーザの録画モードの好みが弱いことを示すと想定される操作を「負の要素」の操作として点数を付与する。そして、負の要素の操作として付与された点数の合計が７点以上の場合は、推薦録画モードを変更する。即ち、「一定期間以上の未操作」及び「削除」を「負の要素」の操作として点数を付与しており、「地上デジタル」対応する「負の要素」の操作に付与された点数の合計は７点となっているので、推薦録画モードは変更されている。具体的には、第１記録媒体１１１であるハードディスクの記録容量を節約するために、図４中、「地上アナログ」に対応する推薦録画モードが「画質：ＳＰ」から「画質：ＬＰ」に変更されている。尚、「画質：ＳＰ」は、標準画質での録画を意味し、「画質：ＬＰ」は低画質での録画を意味する。【００８７】
このように付与された点数には、ユーザの嗜好が反映されている。よって、これらの点数に基づいてユーザの嗜好に合わせた録画モードを、推薦部１５０によって、推薦することができる。【００８８】
尚、本実施例では、ユーザの操作を「正の要素」及び「負の要素」に分類し、「録画モードの設定変更」及び「ダビング・ムーブ等」を「正の要素」と、「一定期間以上の未操作」及び「削除」を「負の要素」としている。但し、ユーザの操作をこのように分類しなくてもよい。【００８９】
（１−２−４）操作履歴情報の詳細
次に、図５及び図６を参照して、操作履歴情報について詳細に説明する。図５は、地上デジタル放送について、図３に対応する操作履歴情報を示す表である。図６は、地上デジタル放送について、図４に対応する操作履歴情報を示す表である。尚、地上アナログ放送、ＢＳアナログ放送及びＢＳ／ＣＳデジタル放送の各々の操作履歴情報についても同様の表に示す構造で操作履歴記録部１４２によって記憶されている。【００９０】
図５に示すように、地上デジタル放送の情報コンテンツについての操作履歴情報は、コンテンツ情報別に記憶されている。コンテンツＡからコンテンツＪまでが順に第１記録媒体１１１に録画されたことを示している。図５に示す操作（「録画モードの設定変更」、「ダビング・ムーブ等」、「一定期間以上の未操作」及び「削除」）は、図３に示す操作に対応している。即ち、図５は、図３と同じく、地上デジタル放送のコンテンツ情報は、録画モードの設定変更が行われることなく１０回（即ちコンテンツＡからＪの１０個）録画されており、録画されたコンテンツ情報については６回（即ちコンテンツＡ、Ｃ、Ｅ、Ｆ、Ｈ、及びＪの６個）ＤＶＤ−ＶＲに録画（即ち、コピー、ダビング、ムーブ等）され、また、２回（即ちコンテンツＣ及びＩの２個）削除されていることを示している。【００９１】
図６は、図４に対応する操作履歴情報を示している。即ち、図６は、図４と同じく、地上デジタル放送のコンテンツ情報は、録画モードの設定変更が行われることなく３回（即ちコンテンツＩ、Ｊ及びＰの３個）録画されており、録画モードをＦＩＮＥモード（即ち、ＳＤ（標準解像度）での最高画質）に設定変更して７回（即ちコンテンツＫからＯ、Ｑ及びＲ）録画されていることを示している。更に、図６は、図４と同じく、地上デジタル放送のコンテンツ情報は、録画されたコンテンツ情報については１回（即ちコンテンツ情報Ｊの１個）ＤＶＤ−ＶＲに記録（コピー、ダビング、ムーブ等）され、また、１回（即ちコンテンツＩ）削除されていることを示している。【００９２】
図３を参照して上述したように、本実施例では、ユーザの録画モードの好みが強い程、その録画モードに決定される頻度は高いものとの前提に立って、その録画モードで録画された回数に応じて、その録画モードに対して点数を付与し、５点以上点数が付与された録画モードは、ユーザの好みが強いという前提のもとで、推薦録画モードとして設定される。【００９３】
更に、本実施例では特に、過去に遡って１０回の決定操作の中で、頻度が相対的に高い録画モードを、好適な録画モードとする。即ち、上述したような点数が付与される対象となる決定操作は、図５及び図６に示すように、過去に遡って１０回の決定操作に限られている。このため、１０回よりも前にユーザが好んで行っていた決定操作に関係なく、最近１０回の決定操作の中でのユーザの嗜好に合った録画モードを特定することができる。即ち、時の経過と共に変動し得るユーザの嗜好に合った録画モードを、好適な録画モードとして設定することができる。よって、ユーザにとって好適な録画モードをユーザに殆ど確実に推薦することができる。尚、過去に遡る回数は、操作履歴記憶手段が備えるメモリ等が許容する限りにおいて、変更してもよい。但し、例えば１万回の記録に対して操作履歴を残して録画モードを設定することは現実的ではない。【００９４】
次に、図７を参照して、録画モードの設定変更に係る操作履歴情報の変更について説明する。図７は、録画モードの設定変更に係る操作履歴情報の変更を示すフローチャートである。【００９５】
図７に示すように、コンテンツ情報が録画された後には、先ず、録画モードの設定変更があったかどうかが確認される（ステップＳ１０１）。【００９６】
録画モードの設定変更があった場合（ステップＳ１０１：Ｙ）には、操作履歴記憶部１４２によって、上述した図５及び図６（或いは図２から図４）に示したように、操作履歴情報が記憶或いは変更される（ステップＳ１０２）。【００９７】
録画モードの設定変更がなかった場合（ステップＳ１０１：Ｎ）には、操作履歴情報は、変更されず、そのまま維持される。【００９８】
以上のような録画モードの設定変更に係る動作は、電源投入中にサブルーチンとして、定期的または不定期的に行われる。【００９９】
次に、図８を参照して、コンテンツ情報の削除、ダビング・ムーブ等及び一定期間以上の未操作に係る操作履歴情報の変更について説明する。図８は、コンテンツ情報の削除、ダビング・ムーブ等及び一定期間以上の未操作に係る操作履歴情報の変更を示すフローチャートである。【０１００】
図８に示すように、コンテンツ情報に対する操作の確認が開始されると、先ず、コンテンツ情報が削除されたかどうかが確認される（ステップＳ２０１）。このような確認は、例えば削除する旨の入力操作が行われたことをモニタすることにより、或いは例えばファイルシステムの情報の削減をモニタすることにより確認される。【０１０１】
コンテンツ情報が削除された場合（ステップＳ２０１：Ｙ）には、削除されたことが、上述した図５及び図６（或いは図２から図４）に示したように、操作履歴情報として、記憶される。【０１０２】
コンテンツ情報が削除されていない場合（ステップＳ２０１：Ｎ）には、そのコンテンツ情報が録画（コピー、ダビング、ムーブ等）されていないかが確認される（ステップＳ３０１）。【０１０３】
コンテンツ情報が第２記録媒体１２１に録画されていた場合（ステップＳ３０２）には、上述した図５及び図６（或いは図２から図４）に示したように、操作履歴情報として、録画があったこと及びその録画モードを記憶する（ステップＳ３０２）。【０１０４】
コンテンツ情報が第２記録媒体１２１に録画されていない場合（ステップＳ３０１：Ｎ）には、そのコンテンツ情報に対し一定期間以上未操作であるかが確認される（ステップＳ４０１）。ここで、一定期間は、例えば、１ヶ月、３ヶ月、６ヶ月、…などの期間を初期設定として設定してもよいし、ユーザが設定或いは変更してもよい。【０１０５】
コンテンツ情報が一定期間以上未操作の場合（ステップＳ４０１：Ｙ）には、上述した図５及び図６（或いは図２から図４）に示したように、操作履歴情報として、一定期間以上未操作であることが記憶される（ステップＳ４０２）。【０１０６】
コンテンツ情報が一定期間未操作でない場合（ステップＳ４０１：Ｎ）には、操作履歴情報は、変更されず、そのまま維持される。【０１０７】
（１−２−５）推薦録画モードの特定
次に、図９及び図１０を参照して、推薦録画モードの特定について詳細に説明する。図９は、地上デジタル放送の録画が指定された場合の推薦録画モードの特定の流れを示すフローチャートである。図１０は、画質の設定の種類を示す図である。尚、地上アナログ放送、ＢＳアナログ放送又はＢＳ／ＣＳデジタル放送の録画が指定された場合についても同様である。【０１０８】
図９に示すように、録画予約において地上デジタル放送の録画がユーザの操作により指定されると、推薦部１５０によって、推薦録画モードの特定が開始される。【０１０９】
先ず、録画モードの設定変更、即ち、既に推薦録画モードとしてユーザに対して推薦した録画モードとは異なる録画モードで録画されたことが所定回数以上あったかどうかが、推薦部１５０によって判定される（ステップＳ５０１）。【０１１０】
録画モードの設定変更が所定回数以上あった場合（ステップＳ５０１：Ｙ）には、設定変更によって設定された回数の最も多い録画モード（以下「最大設定録画モード」という。）を、その設定された回数（以下「最大設定回数」という。）とともに記憶する（ステップＳ５０２）ここで所定回数としては、本実施例では３回としているが、他の回数でもよい。但し、上述したように操作履歴情報としては、最近１０回の決定操作（即ち録画モード）を記憶することとしているので、例えば、３回となる録画モードが２種類或いは３種類となる場合も想定される。その場合は、３回に達したのが最近の録画モードを最大設定録画モードとして記憶するとよい。このようにすることで、より最近のユーザの嗜好を反映した録画モードを推薦録画モードとして設定することが可能となる。【０１１１】
次に、最大設定回数が所定回数以上であるかどうかが、推薦部１５０によって判定される（ステップＳ５０３）。【０１１２】
最大設定回数が所定回数以上である場合（ステップＳ５０３：Ｙ）には、その最大設定録画モードが推薦録画モードとして設定される（ステップＳ５０４）。【０１１３】
一方、録画モードの設定変更が所定回数に満たない場合（ステップＳ５０１：Ｎ）或いは、最大設定回数が所定回数に満たない場合（ステップＳ５０３：Ｎ）には、地上デジタル放送から第１記録媒体１１１に録画されたコンテンツ情報に対し、更に第２記録媒体１２１への録画（コピー、ダビング、ムーブ等）が所定回数以上行われたかどうかが、推薦部１５０によって判定される（ステップＳ６０１）。【０１１４】
第２記録媒体１２１への録画（コピー、ダビング、ムーブ等）が所定回数以上行われた場合（ステップＳ６０１：Ｙ）には、録画（コピー、ダビング、ムーブ等）時に設定された回数の最も多い録画モード（以下「最大設定ダビング・ムーブ等モード」という。）を、その回数（以下「最大回数」という。）とともに記憶する（ステップＳ６０２）。ここで所定回数としては、本実施例では３回としているが、他の回数でもよい。但し、上述したように操作履歴情報としては、最近１０回の決定操作（即ち録画モード）を記憶することとしているので、例えば、３回となる録画モードが２種類或いは３種類となる場合も想定される。その場合は、３回に達したのが最近の録画モードを最大設定ダビングモードとして記憶するとよい。このようにすることで、より最近のユーザの嗜好を反映した録画モードを推薦録画モードとして設定することが可能となる。【０１１５】
次に、最大回数が所定回数以上であるかどうかが推薦部１５０によって判定される（ステップＳ６０３）。【０１１６】
最大回数が所定回数以上である場合（ステップＳ６０３：Ｙ）には、その最大設定ダビング・ムーブ等モードを推薦録画モードとして設定する（Ｓ６０４）。【０１１７】
一方、第２記録媒体１２１への録画（コピー、ダビング、ムーブ等）が所定回数に満たない場合（ステップＳ６０１：Ｎ）或いは、ダビング最大設定回数が所定回数に満たない場合（ステップＳ６０３：Ｎ）には、地上デジタル放送から第１記録媒体１１１に録画されたコンテンツ情報のうち一定期間以上未操作であるものの個数が所定個数以上あるかどうかが確認される（ステップＳ７０１）。【０１１８】
一定期間以上未操作であるコンテンツ情報の個数が所定個数以上ある場合（ステップＳ７０１：Ｙ）には、既に設定されている推薦録画モードにおいて、図４を参照して上述したように、第１記録媒体１１１であるハードディスクの記録容量を節約するために、画質の設定を一段階下げる、即ち記録容量を節約可能な低画質の録画モードを推薦録画モードとして設定する（ステップＳ７０２）。図１０に示すように、画質の設定には、高画質から低画質に順に、「ＤＲ」、「ＦＩＮＥ」、「ＳＰ」、「ＬＰ」及び「ＥＰ」がある。本実施例でいう「画質の設定を一段階下げる」とは、図１０中、矢印（下げる）の方向に隣接する画質の設定に変更することをいい、「画質の設定を一段階上げる」とは、図１０中、矢印（上げる）の方向に隣接する画質の設定に変更することをいう。【０１１９】
一方、一定期間以上未操作であるコンテンツ情報の個数が所定個数に満たない場合（ステップＳ）には、地上デジタル放送から第１記録媒体１１１に録画されたコンテンツ情報のうち削除されたものの個数が所定個数以上あるかどうかが、推薦部１５０によって判定される（ステップＳ８０１）。【０１２０】
削除されたコンテンツ情報の個数が所定個数以上である場合（ステップＳ８０１：Ｙ）には、一定期間以上未操作であるコンテンツ情報の個数が所定個数以上ある場合（ステップＳ７０１：Ｙ）と同様に、既に設定されている推薦録画モードにおいて、画質の設定を一段階下げる（ステップＳ７０２）。【０１２１】
削除されたコンテンツ情報の個数が所定個数に満たない場合（ステップＳ８０１：Ｎ）には、既に設定されている推薦録画モードはそのまま維持する。【０１２２】
以上説明したように設定された推薦録画モードは、例えば録画予約の際に、推薦部１５０によって、ユーザに推薦される（ステップＳ５０５）。即ち、表示装置２００の表示画面にその特定された録画モードの使用を促す旨の情報を表示することにより、ユーザに対して視覚的にその旨の情報を提供する。【０１２３】
以上の結果、ユーザの操作の回数が多ければ多いほど、即ち、ユーザが記録再生装置１０を使用すればするほど、該ユーザを基準にして、より好適な、コンテンツ情報の録画モードを推薦することができる。ユーザは、録画の都度にコンテンツ情報の録画モードを一から設定する必要がなくなる。即ち、推薦部１５０による推薦に従って、録画モードの設定操作を殆ど行わなくてよいか、又は設定操作に係る負荷が軽減される。このようにユーザビリティが高まり、例えばユーザの操作によって毎回録画モードを変更しなければならないというユーザの操作に対する負荷を軽減することできる。この際特に、第１記録媒体１１１への録画の際に、後に行われると予想される第２記録媒体への録画（ダビング・ムーブ）と結果的に同じとなる録画モードで記録することになる。このため、録画（ダビング・ムーブ）する際のフォーマット変換が不要となる。よって、第１記録媒体１１１から第２記録媒体１２１へ記録する際における高速処理が可能となり、記録に要する時間が短縮される。例えば、第１記録媒体１１１から第２記録媒体１２１へ記録する際に、フォーマット変換が必要であると、１倍速〜数倍速が高速処理の限界となるが、フォーマット変換が不要であれば、数十倍速といった高速処理が可能となる。【０１２４】
（１−２−６）録画予約画面
次に、図２、図３、図１１及び図１２を参照して、録画予約画面について説明する。図１１は、図２の状態における、地上デジタル放送を録画する際の録画予約画面を示す模式図である。図１２は、図３の状態における図１１と同趣旨の模式図である。【０１２５】
図１１に示すように、録画予約画面には、チャンネル欄８１、番組名欄８２及び録画モード欄８３がある。【０１２６】
チャンネル欄８１には、ユーザが録画しようとするコンテンツ情報のチャンネル（放送の種類を含む）が表示される。録画しようとするチャンネルはユーザによって入力される。図１１は、チャンネル「地上デジタル１ｃｈ」（符号８１ａ）のコンテンツ情報を録画しようとしていることを示している。【０１２７】
番組名欄８２には、ユーザが録画しようとするコンテンツ情報の番組名が表示される。録画しようとする番組名は、ユーザによって入力される。図１１は、番組名「いろはにほ」（符号８２ａ）のコンテンツ情報を録画しようとしていることを示している。【０１２８】
録画モード欄８３には、ユーザによって録画すべきチャンネル及び番組名が決定されると、推薦録画モードが表示される。図１１は、図２の状態、即ち初期状態での推奨録画モードを示しており、録画モード「ＤＲ」（符号８３ａ）が録画モード欄８３内に表示されている。【０１２９】
図１２に示すように、図３の状態、即ち推薦録画モードが変更された後には、ユーザによって放送の種類が地上デジタル放送であるチャンネル「地上デジタル８ｃｈ」（符号８１ａ）を設定されると、図３中の地上デジタルに対応する推薦録画モード、即ち「ＦＩＮＥ」（符号８３ａ）が録画モード欄８３に表示される。ユーザは、表示された推薦録画モードに従って録画することができる。また、ユーザは、録画モードを変更することもできる。【０１３０】
（第２実施例）
次に、図１３を参照して本発明の第２実施例に係る記録再生装置について説明する。ここに図１３は、第２実施例における図３と同趣旨の表である。図１３において、図３に示した第１実施例に係る構成要素と同様の構成要素に同一の参照符合を付し、それらの説明は適宜省略する。【０１３１】
図１３に示すように、第２実施例では、ニュース、スポーツ、連続ドラマ及びドキュメンタリーの４種類のコンテンツ情報のジャンル別、即ち属性情報別にユーザの操作履歴が記憶される。【０１３２】
このジャンル別に、操作履歴として、「録画」、「録画モードの設定変更」、「ダビング、ムーブ等」、「一定期間以上の未操作」及び「削除」が記憶される。これらの操作履歴情報、即ち、ユーザの操作に対して、コンテンツ情報のジャンル別にユーザにとって好適であることの度合いを示す点数が付与される。よって第１実施例に係る記録再生装置と同様に、属性情報別即ち第２実施例ではジャンル別にユーザの嗜好する録画モードを推薦することができる。この際特に、第１記録媒体１１１への記録の際に、後に行われると予想される第２記録媒体１２１への記録（コピー、ダビング、ムーブ等）と結果的に同じとなる録画モードで記録することになる。このため、記録する際のフォーマット変換が不要となる。よって、第１記録媒体１１１から第２記録媒体１２１へ記録する際における高速処理が可能となり、記録に要する時間が短縮される。例えば、第１記録媒体１１１から第２記録媒体１２１へ記録する際に、フォーマット変換が必要であると、１倍速〜数倍速が高速処理の限界となるが、フォーマット変換が不要であれば、数十倍速といった高速処理が可能となる。【０１３３】
本発明は、上述した実施例に限られるものではなく、請求の範囲及び明細書全体から読み取れる発明の要旨或いは思想に反しない範囲で適宜変更可能であり、そのような変更を伴う記録再生装置もまた本発明の技術的範囲に含まれるものである。【０１３４】
以上詳細に説明したように、本実施例に係る記録再生装置によれば、推薦部１５０等を備えるので、属性情報及び操作履歴情報に基づいてユーザにとっての好適な録画モードを特定すると共にユーザに特定された録画モードを推薦することができる。これらにより、第１記録媒体１１１から第２記録媒体１２１へ記録する際における高速処理が可能となり、記録に要する時間が短縮される。
【産業上の利用可能性】
【０１３５】
本発明に係る好適操作を推薦する記録再生装置は、例えば、ハードディスク、ＤＶＤ、Ｂｌｕ−ｒａｙディスク等の情報記録媒体に利用可能であり、更に、そのような情報記録媒体に、例えば放送番組等のコンテンツ情報を記録（録画）又は再生することが可能な記録再生装置にも利用可能である。
【図１】
0004642074.tif 000002
【図２】
0004642074.tif 000003
【図３】
0004642074.tif 000004
【図４】
0004642074.tif 000005
【図５】
0004642074.tif 000006
【図６】
0004642074.tif 000007
【図７】
0004642074.tif 000008
【図８】
0004642074.tif 000009
【図９】
0004642074.tif 000010
【図１０】
0004642074.tif 000011
【図１１】
0004642074.tif 000012
【図１２】
0004642074.tif 000013
【図１３】
0004642074.tif 000014